(57)【要約】【課題】吸着体の表面積を増大させて加湿性能を高め、及び、室内機の外径寸法が大きくなることを抑制することができる空気調和機の室内機を提供する。【解決手段】空気調和機の室内機１において、室内機本体３内に配置されて吸込口４から吸い込まれて吹出口から吹き出す空気の流れを発生させる空調用ファン９と、吸込口４から吸い込まれて吹出口から吹き出す空気を冷却し又は加熱する熱交換器８と、吸込口と熱交換器８との間に配置され、室内機本体３の横幅方向に延びた長尺形状に形成され、被吸着物質を吸着可能及び脱離可能な吸着体１０と、室内機本体３内に吸い込まれて室外に排気される空気の流れを発生させる室外排気用ファン１１と、室外排気用ファン１１が駆動された場合に流れる空気と空調用ファン９が駆動された場合に流れる空気とを吸着体１０に当て、吸着体１０に対して被吸着物質の吸着と脱離とを行わせる吸着脱離手段１２と、を備える。【選択図】    図２
2008121962.tif 000002
【特許請求の範囲】
【請求項１】
室内の空気が吸い込まれる吸込口とこの吸込口から吸い込まれた空気が室内に吹き出す吹出口とが形成され、室内に配置される室内機本体と、
前記室内機本体内に配置され、前記吸込口から吸い込まれて前記吹出口から吹き出す空気の流れを発生させる空調用ファンと、
前記室内機本体内に配置され、前記吸込口から吸い込まれて前記吹出口から吹き出す空気を冷却し又は加熱する熱交換器と、
前記室内機本体内の前記吸込口と前記熱交換器との間に配置され、前記室内機本体の横幅方向に延びた長尺形状に形成され、被吸着物質を吸着可能及び脱離可能な吸着体と、
前記室内機本体内に吸い込まれて室外に排気される空気の流れを発生させる室外排気用ファンと、
前記室外排気用ファンが駆動された場合に流れる空気と前記空調用ファンが駆動された場合に流れる空気とを前記吸着体に当て、前記吸着体に対して被吸着物質の吸着と脱離とを行わせる吸着脱離手段と、
を備えることを特徴とする空気調和機の室内機。
【請求項２】
前記吸着脱離手段は、前記室外排気用ファンが駆動された場合に流れる空気を前記吸着体に通風する第１空気経路と、前記空調用ファンが駆動された場合に流れる空気を前記吸着体に通風する第２空気経路と、空気の流れを前記第１空気経路と前記第２空気経路とに切り替え可能な切替機構と、被吸着物質の脱離が行われる場合の前記吸着体を加熱する加熱手段と、を備えることを特徴とする請求項１記載の空気調和機の室内機。
【請求項３】
前記吸着脱離手段は、前記室外排気用ファンが駆動された場合に流れる空気を前記吸着体の一部に当たる位置に通風する第１空気経路と、前記空調用ファンが駆動された場合に流れる空気を前記吸着体の他の部分に当たる位置に通風する第２空気経路と、前記吸着体を一部が前記第１空気経路内に位置して他の一部が前記第２空気経路内に位置するように前記吸着体をスライドさせるスライド機構と、前記吸着体における被吸着物質が脱離される領域を加熱する加熱手段と、を備えることを特徴とする請求項１記載の空気調和機の室内機。
【請求項４】
前記加熱手段は、空気の流れ方向に沿った前記吸着体の上流側に配置されるヒータであることを特徴とする請求項２又は３記載の空気調和機の室内機。
【請求項５】
前記加熱手段は前記熱交換器であり、暖房運転される前記熱交換器により加熱された空気の一部を前記吸着体側へ送風する送風機構が設けられていることを特徴とする請求項２又は３記載の空気調和機の室内機。
【請求項６】
前記加熱手段は空気調和機の冷凍サイクルの冷媒パイプであり、この冷媒パイプが前記吸着体を貫通して設けられていることを特徴とする請求項２又は３記載の空気調和機の室内機。
【発明の詳細な説明】
【技術分野】
【０００１】
本発明は、空気調和機の室内機に関し、特に、加湿機能などの被吸着物質の吸着、脱離機能を備えた空気調和機の室内機に関する。
【背景技術】
【０００２】
例えば、下記特許文献１に記載されているように、吸着材を用いた加湿機能を備えた空気調和機の室内機が知られている。
【０００３】
この室内機の室内機本体内には、室内機が配置されている室内の空気を冷却し又は加熱するための熱交換器と、この熱交換器に室内の空気を送風して熱交換器により加熱又は冷却された空気を室内に吹き出させる空調用ファンとが収納されている。さらに、この室内機本体内には、空気中の水分を吸着可能であり、及び、吸着した水分を空気中に脱離可能な吸着体と、この吸着体に対して送風する２つのファンとが収納されている。吸着体は、ハニカム構造の円盤状に形成されており、中心線回りに回転可能に支持されている。吸着体に対して送風する２つのファンは、吸着体の回転中心に沿って逆方向に送風する向きに配置されている
吸着体が回転中心回りに回転することにより、吸着体の各部は、一方のファンにより送風される空気が当たる位置と、他方のファンにより送風される加熱された空気が当たる位置との間を移動する。
【０００４】
一方のファンにより送風される空気は、室内の空気又は室外から取り入れられた空気である。この空気が吸着体に当たることにより、空気中に含まれている水分が吸着体に吸着される。水分が吸着体に吸着されて含有水分量が少なくなった空気は、室外に排気される。
【０００５】
他方のファンにより送風される空気は、ヒータ等により加熱された空気である。この加熱された空気が吸着体に当たることにより、吸着体が加熱されて吸着体に吸着されている水分が吸着体から脱離され、脱離された水分が室内に放出され、室内が加湿される。
【０００６】
このようにして、２つのファンを駆動させながら吸着体を回転させることにより、室内機が配置されている室内が加湿される。
【特許文献１】特許第３２５４３８１号公報
【発明の開示】
【発明が解決しようとする課題】
【０００７】
しかしながら、前述の空気調和機の室内機においては、以下の点について配慮がなされていない。
【０００８】
吸着体が吸着できる水分の量は、吸着体の表面積に比例する。このため、加湿性能を高めるためには、吸着体の直径を大きくする必要がある。吸着体の直径が大きくなると、それに伴って室内機の外形寸法、特に、吸着体の回転中心と直交する方向の幅寸法が大きくなる。
【０００９】
空気調和機の室内機は、室内の壁面などに取付けられる構造であり、壁面からの張出し寸法を抑えたいという要望が大きい。このため、吸着体の直径を大きくして加湿性能を高めることに関して制限を受けている。
【００１０】
さらに、室内機内には、空調用ファンと、加湿のための２つのファンとの、合計３つのファンを配置しなければならず、これらの点も室内機の外形寸法を大きくする原因となっている。
【００１１】
本発明は上記課題を解決するためになされたものであり、その目的は、吸着体の表面積を増大させて加湿性能を高めることができ、及び、室内機の外径寸法が大きくなることを抑制することができる空気調和機の室内機を提供することである。
【課題を解決するための手段】
【００１２】
本発明の実施の形態に係る第１の特徴は、空気調和機の室内機において、室内の空気が吸い込まれる吸込口とこの吸込口から吸い込まれた空気が室内に吹き出す吹出口とが形成され、室内に配置される室内機本体と、前記室内機本体内に配置され、前記吸込口から吸い込まれて前記吹出口から吹き出す空気の流れを発生させる空調用ファンと、前記室内機本体内に配置され、前記吸込口から吸い込まれて前記吹出口から吹き出す空気を冷却し又は加熱する熱交換器と、前記室内機本体内の前記吸込口と前記熱交換器との間に配置され、前記室内機本体の横幅方向に延びた長尺形状に形成され、被吸着物質を吸着可能及び脱離可能な吸着体と、前記室内機本体内に吸い込まれて室外に排気される空気の流れを発生させる室外排気用ファンと、前記室外排気用ファンが駆動された場合に流れる空気と前記空調用ファンが駆動された場合に流れる空気とを前記吸着体に当て、前記吸着体に対して被吸着物質の吸着と脱離とを行わせる吸着脱離手段と、を備えることである。
【発明の効果】
【００１３】
本発明によれば、吸着体の表面積を増大させて吸着、脱離性能を高めることができ、空気調和機の室内機の小型化が可能となる。
【発明を実施するための最良の形態】
【００１４】
以下、本発明の実施の形態を図面を用いて説明する。
【００１５】
（第１の実施の形態）
本発明の第１の実施の形態に係る空気調和機の室内機１は、図１及び図２に示すように室内と室外とを仕切る壁２の内側面に取付けられる室内機本体３を有し、室内機本体３の前面部と上面部とには複数の吸込口４が形成されている。室内機本体３の下部には、ルーバー５により開度を調整可能な吹出口６が形成されている。
【００１６】
室内機本体３内には、エアフィルタ７と、熱交換器８と、空調用ファン９とが配置されている。さらに、室内機本体３内には、水分や臭い成分等の被吸着物質を吸着可能及び脱離可能な吸着体１０と、室外排気用ファン１１と、吸着脱離手段１２と、吸着脱離手段１２の一部を構成する加熱手段であるヒータ１３と、制御器１４とが配置されている。
【００１７】
エアフィルタ７は、室内機本体３の前面部と上面部との内側に配置され、メッシュ状に形成されている。吸込口４から室内機本体３内に吸い込まれる空気中に埃が含まれている場合、この空気がエアフィルタ７を通過する過程で埃がエアフィルタ７により捕集される。
【００１８】
熱交換器８は、室外に配置されている室外機（図示せず）内に設けられている熱交換器に接続され、内部に冷媒が流れ、冷房運転と暖房運転とに切替可能に設けられている。冷房運転時には熱交換器８の周囲を流れる空気が冷却され、暖房運転時には熱交換器８の周囲を流れる空気が加熱される。
【００１９】
空調用ファン９は、長尺形状に形成された貫流（横流）ファンであり、一端にモータ１５が連結され、モータ１５により回転駆動される。空調用ファン９が駆動されることにより、室内の空気が吸込口４から吸い込まれ、吸い込まれた空気が熱交換器８の周囲を流れて吹出口６から吹き出す。吹出口６から吹き出す空気は、冷房運転されている熱交換器８の周りを流れることにより冷却されて冷風となり、又は、暖房運転されている熱交換器８の周りを流れることにより加熱されて温風となる。
【００２０】
吸着体１０は、正面側の吸込口４と熱交換器８との間で、エアフィルタ７の背面に配置され、紙などを素材とする長方形状の基材の表面にゼオライト等の吸着材粒子を塗布することにより形成された複数枚の吸着板１６が平行に配置され、これらの吸着板１６の両端が支持枠１７により支持されている。一対の支持枠１７の中央には空気が流通可能な開口１７ａが設けられ、各吸着板１６間の空気が横方向（長手方向）に支持枠１７を通過できるようになっている。ゼオライト等の吸着材粒子は、低温（室温）で空気中の水分や臭い成分等の被吸着物質を吸着し、高温になると吸着した被吸着物質を放出する。吸着体１０は、室内機本体３の横幅方向に延びた長尺形状に形成され、吸着板１６の長手方向と室内機本体３の横幅方向とが一致する向きに室内機本体３内に配置されている。水分や臭い成分を含む空気が吸着板１６と吸着板１６との間を流れることにより、水分や臭い成分が吸着材粒子に吸着される。また、加熱された空気が吸着板１６と吸着板１６との間を流れることにより吸着板１６が加熱され、吸着材粒子に吸着されている水分や臭い成分が吸着材粒子から脱離される。
【００２１】
室外排気用ファン１１には、この室外排気用ファン１１を回転駆動させるモータ１８が連結されている。室外排気用ファン１１が駆動されることにより、室内の空気が正面側の吸込口４から吸い込まれ、吸着体１０の各吸着板１６の間を通過した後、ダクト１１ａを介して排気用パイプ１９内を通風され、室外に排気される。排気用パイプ１９は、室内機本体３内から室内機本体３外へ延び出し、さらに、壁２を貫通して室外に延び出している。ダクト１１ａは吸着体１０の支持枠１７の一端に接続されており、それぞれの吸着板１６の間を通過した空気は、開口１７ａを通ってダクト１１ａ側に流れることができる。
【００２２】
吸着脱離手段１２は、室外排気用ファン１１が駆動された場合に流れる空気と空調用ファン９が駆動された場合に流れる空気とを吸着体１０に通風し、通風された空気を吸着体１０に当てることにより吸着体１０に対して被吸着物質の吸着と脱離とを行わせるための機構である。この吸着脱離手段１２は、室外排気用ファン１１が駆動された場合に流れる空気を吸着体１０に当たるように通風する第１空気経路２０（図２）と、空調用ファン９が駆動された場合に流れる空気を吸着体１０に当たるように通風する第２空気経路２１（図４）とを切り替え可能な切替機構２２、及び、吸着体１０から被吸着物質を脱離させるために吸着体１０に当たる空気を加熱する加熱手段であるヒータ１３を備えている。第１空気経路２０は、ダクト１１ａ，室外排気用ファン１１を経由して排気用パイプ１９に連通している。
【００２３】
切替機構２２は、吸着体１０と熱交換器８との間に位置固定に配置された複数の短冊状の固定板２３と、吸着体１０と熱交換器８との間に移動可能に配置された複数の短冊状の可動板２４と、可動板２４をスライドさせるモータ２５とにより構成されている。複数の可動板２４は一体にスライド可能に連結されており、複数の可動板２４は、図２に示す閉止位置と図４に示す開放位置とにスライド可能とされている。
【００２４】
可動板２４が図２に示す閉止位置にスライドされた場合、隣合う固定板２３と固定板２３との間の隙間が可動板２４により閉止され、固定板２３と可動板２４とにより吸着体１０と熱交換器８との間が仕切られる。同時に室外排気用ファン１１が駆動されることにより、正面側の吸込口４から室内機本体３内に吸込まれた空気の一部は、室外排気用ファン１１側に向け、各吸着板１６間の隙間として吸着板１６の長手方向（横方向）に形成される第１空気経路２０を通過する。
【００２５】
一方、可動板２４が図４に示す開放位置にスライドされた場合、可動板２４と固定板２３とが重なり、隣合う固定板２３と固定板２３との間の隙間が開放される。同時に空調用ファン９が駆動されることにより、正面側の吸込口４から室内機本体３内に吸込まれた空気は、熱交換器８及び空調用ファン９側に向けて各吸着板１６間の隙間として吸着板１６の短手方向に形成される第２空気経路２１を通過する。
【００２６】
ヒータ１３は、正面側の吸込口４から吸い込まれた空気の流れ方向に沿った吸着体１０の上流側に配置されている。ヒータ１３へ通電されることによりヒータ１３から発熱され、正面側の吸込口４から室内機本体３内に吸い込まれて吸着体１０に当たる空気が加熱される。ヒータ１３により加熱された空気が吸着体１０に当たることにより、吸着体１０が加熱され、吸着体１０に吸着されている水分等の被吸着物質が吸着体１０から脱離される。
【００２７】
制御器１４は、プログラムされたマイコン及びその周辺機器からなり、室内機本体３内の制御対象物の制御を行う。制御器１４には、図５に示すように、空調用ファン９を駆動させるモータ１５、室外排気用ファン１１を駆動させるモータ１８、可動板２４をスライドさせるモータ２５、ルーバー５を駆動させるモータ２６が接続されている。さらに、制御器１４には、ヒータ１３、室温センサ２７、室内機１の動作を操作するリモコン２８からの赤外線信号を受光する受光部２９が接続されている。
【００２８】
空気調和機を加湿運転する場合の制御について、図６のフローチャートに基づいて説明する。なお、加湿運転において、吸着体１０に水分を吸着させる設定時間“ｔｓ１”と、吸着体１０から水分を脱離させる設定時間“ｔｓ２”とが予め設定されている。また、この加湿運転が行われるのは空気調和機が暖房運転されている場合であり、加湿運転が開始される前に空調用ファン９が既に駆動されている。
【００２９】
制御器１４は、リモコン２８から加湿運転の開始信号が入力されたか否かを監視している（Ｓ１）。加湿運転開始信号が入力された場合には（Ｓ１のＹＥＳ）、制御器１４に内蔵されているタイマがセットされ（Ｓ２）、モータ２５が駆動されて可動板２４が図２に示す閉止位置にスライドされ（Ｓ３）、室外排気用ファン１１の駆動が開始される（Ｓ４）。
【００３０】
可動板２４が閉止位置にスライドされ（Ｓ３）、及び、室外排気用ファン１１の駆動が開始されることにより（Ｓ４）、正面側の吸込口４から室内機本体３内に吸い込まれている室内の空気の一部は、図２に示すように第１空気経路２０を通風されて吸着体１０に当たり、その後、排気用パイプ１９内を通って室外に排気される。ここで、室内の空気が吸着体１０の吸着板１６に当たることにより室内空気中に含まれる水分が吸着板１６に吸着され、水分が吸着されて含有水分量が少なくなった乾燥空気が室外に排気される。
【００３１】
吸着体１０への水分の吸着が開始された後、タイマがセットされてからの経過時間“Ｔ”が設定時間“ｔｓ１”を越えたか否かが判断される（Ｓ５）。経過時間“Ｔ”が設定時間“ｔｓ１”を越えた場合には（Ｓ５のＹＥＳ）、室外排気用ファン１１の駆動が停止され（Ｓ６）、タイマがリセットされ及び再スタートされ（Ｓ７）、モータ２５が駆動されて可動板２４が図４に示す開放位置にスライドされ（Ｓ８）、ヒータ１３に通電される（Ｓ９）。
【００３２】
ステップＳ６に示すように室外排気用ファン１１の駆動が停止され、ステップＳ８に示すように可動板２４が開放位置にスライドされた場合には、引き続き駆動される空調用ファン９により、吸込口４から室内機本体３内への空気の吸い込みが継続され、吸い込まれた空気は図４に示すように第２空気経路２１を通風されて吸着体１０に当たり、その後、熱交換器８及び空調用ファン９側へ流れ、熱交換器８により加熱されて吹出口６から温風となって室内に吹き出す。また、この第２空気経路２１を通風される空気は、ヒータ１３により加熱されるため、ヒータ１３により加熱された空気が吸着体１０に当たり、吸着体１０が加熱される。吸着体１０が加熱されることにより吸着体１０から水分が脱離され、吸着体１０から脱離された水分は吹出口６から吹き出す空気に含まれて室内に放出され、室内の加湿が行われる。
【００３３】
吸着体１０から脱離された水分による室内の加湿が開始された後、タイマがリセット・再スタート（Ｓ７）されてからの経過時間“Ｔ”が設定時間“ｔｓ２”を越えたか否かが判断される（Ｓ１０）。経過時間“Ｔ”が設定時間“ｔｓ２”を越えた場合には（Ｓ１０のＹＥＳ）、タイマがリセットされ及び再スタートされる（Ｓ１１）。その後、上述したステップＳ３からステップＳ９において説明したように、吸着体１０への水分の吸着と、吸着体１０からの水分の脱離とが繰り返される。吸着体１０への水分の吸着と、吸着体１０からの水分の脱離とは、加湿運転を終了する信号がリモコン２８から制御器１４に入力されるまで継続される。なお、一般的に吸着時間＞脱離時間であることから、ｔｓ１＞ｔｓ２に設定される。
【００３４】
このような構成において、吸着体１０は、室内機１の横幅方向に延びた長尺形状に形成され、正面側の吸込口４と熱交換器８との間に位置して室内機本体３内に配置されている。このため、室内機１の外径寸法が大きくなることを抑制しつつ吸着体１０の表面積を増大させることができ、加湿性能を高めることができる。
【００３５】
また、吸着体１０から水分を脱離させるために吸着体１０に送風するファンとして、専用のファンを設けることなく空調用ファン９を使用している。このため、水分を脱離させるための専用のファンを設ける必要がなくなり、室内機１の小型化と低価格化とを図ることができる。
【００３６】
なお、第１の実施の形態では、吸着体１０から水分を脱離させるために吸着体１０を加熱する手段として、吸込口４から吸い込まれる空気を加熱するヒータ１３を設けているが、このヒータ１３を使用せずに吸着体１０を加熱するようにしてもよい。
【００３７】
具体的には、熱交換器８を加熱手段として用い、暖房運転される熱交換器８により加熱されて吹出口６に向かう温風の一部を吸着体１０の空気流入側へ導く回動可能なダンパ（図示せず）を設け、このダンパにより第２空気経路２１を形成することで達成できる。
【００３８】
また、この室内機１では、吸着体１０を用いて、室内の除湿、室内からの臭い成分の除去を行うことができる。
【００３９】
室内の除湿や室内からの臭い成分の除去を行う場合には、除湿又は臭い成分の除去を行う信号をリモコン２８から制御器１４に入力する。この信号が制御器１４に入力されると、可動板２４が図４に示す開放位置にスライドされ、空調用ファン９が駆動される。この場合、空気調和機の空調運転状態は、冷房運転、暖房運転、停止のいずれであってもよい。空調用ファン９が駆動されることにより、室内の空気が正面側の吸込口４から室内機本体３内に吸い込まれ、吸い込まれた空気の一部が第２空気経路２１を通風されて吸着体１０に当たり、空気中の水分や臭い成分が吸着体１０に吸着される。水分や臭い成分が吸着され、水分や臭い成分の含有量が少なくなった空気は吹出口６から室内に吹き出す。
【００４０】
除湿又は臭い成分の除去が開始されてから予め設定されている時間が経過した後、可動板２４が図２に示す閉止位置にスライドされ、ヒータ１３に通電され、室外排気用ファン１１が駆動される。室外排気用ファン１１が駆動されることにより、正面側の吸込口４から室内機本体３内に吸い込まれる空気の一部がヒータ１３により加熱される。ヒータ１３により加熱された空気は第１空気経路２０を通風されて吸着体１０に当たり、吸着体１０に吸着されている水分や臭い成分が吸着体１０から脱離される。吸着体１０から脱離された水分や臭い成分を含む空気は、第１空気経路２０から排気用パイプ１９内に流入し、排気用パイプ１９内を通風されて室外に排気され、ここに、室内の除湿や室内からの臭い成分の除去が行われる。
【００４１】
（第２の実施の形態）
本発明の第２の実施の形態に係る空気調和機の室内機１Ａを、図７ないし図１０に基づいて説明する。なお、第２の実施の形態及びこれ以降の実施の形態において、先行して説明した他の実施の形態の構成要素と同じ構成要素には同じ符号を付け、重複する説明は省略する。
【００４２】
室内機１Ａの室内機本体３内には、エアフィルタ７と、熱交換器８と、空調用ファン９とが配置されている。さらに、室内機本体３内には、水分や臭い成分等の被吸着物質を吸着可能及び脱離可能な吸着体１０Ａと、室外排気用ファン１１と、吸着脱離手段１２Ａと、吸着脱離手段１２Ａの一部を構成する加熱手段であるヒータ１３Ａ、１３Ｂ、１３Ｃと、制御器１４とが配置されている。
【００４３】
吸着体１０Ａは、室内機本体３内における正面側の吸込口４と熱交換器８との間に配置され、室内機本体３の横幅方向に延びた長尺の直方体形状に形成されている。吸着体１０Ａは、図８に示すように、複数枚の平面シート３１と複数枚の波形シート３２とを交互に接着して形成され、平面シート３１と波形シート３２との間に奥行き方向に通風可能な空間部３３が形成されている。吸着体１０Ａの長手方向である横方向の両端には端板３３ａ、３３ｂが設けられ、横方向の中央部には端板３３ａ、３３ｂと平行に仕切板３３ｃが設けられている。すなわち、吸着体１０Ａは仕切板３３によって左右に２分割されている。なお、この吸着体１０Ａは、横方向には空気が流れない。
【００４４】
平面シート３１と波形シート３２との表面には、ゼオライト等の吸着材粒子が塗布されている。吸着体１０Ａが室内機本体３内に配置された場合、空間部３３は正面側の吸込口４から熱交換器８に向けられている。水分や臭い成分を含む空気が吸着体１０Ａの空間部３３を流れることにより、水分や臭い成分が吸着材粒子に吸着される。また、加熱された空気が吸着体１０Ａの空間部３３を流れることにより、吸着材粒子に吸着されている水分や臭い成分が吸着材粒子から脱離される。
【００４５】
吸着脱離手段１２Ａは、室外排気用ファン１１が駆動された場合に流れる空気と空調用ファン９が駆動された場合に流れる空気とを吸着体１０Ａに当て、吸着体１０Ａに対して被吸着物質の吸着と脱離とを行わせるための機構である。この吸着脱離手段１２Ａは、室外排気用ファン１１が駆動された場合に流れる空気を吸着体１０Ａの一部に当たる位置に通風する第１空気経路３４と、空調用ファン９が駆動された場合に流れる空気を吸着体１０Ａの他の部分に当たる位置に通風する第２空気経路３５と、吸着体１０Ａの各部が第１空気経路３４上と第２空気経路３５上とに交互に位置するように吸着体１０Ａをスライドさせるスライド機構３６と、吸着体１０Ａから被吸着物質を脱離させるために吸着体１０に当たる空気を加熱する加熱手段であるヒータ１３Ａ、１３Ｂ、１３Ｃとを備えている。第１空気経路３４は、排気用パイプ１９に連通されている。
【００４６】
吸着体１０Ａと熱交換器８との間には、吸着体１０Ａに向けて開口し、第１空気経路３４を通過した空気が流入するダクト１１Ａが配置されている。ダクト１１Ａは排気用パイプ１９に接続されている。図９に示すように第１空気経路３４は、室内空気吸込み側に位置する吸着体１０Ａ部分と同じ大きさの開口が設けられ、これがダクト１１Ａにつながっている。したがって、吸込まれた室内空気は、図９中左側の吸着体１０Ａの半分を通過してダクト１１Ａの開口を通る。ダクト１１Ａは、開口から吸着体１０Ａを避けて上方向に延出されており、第９図中破線位置となるように吸着体１０Ａが左側にスライドした場合、左側の吸着体１０Ａの背面にダクト１１Ａが位置しないようになっている。これにより左側に吸着体１０Ａがスライドした場合でも室内空気はダクト１１Ａが通風抵抗となることなく、熱交換器側へと流れる。
【００４７】
スライド機構３６は、吸着体１０Ａに固定されたラック３７と、ラック３７に噛み合うピニオン３８と、ピニオン３８を回転させるモータ３９とにより構成されている。モータ３９を正逆回転させることにより、吸着体１０Ａは図７に示す位置と図１０に示す位置との間で往復移動する。吸着体１０Ａが図７に示す位置にスライドしている場合、吸着体１０Ａにおける端板３３ａと仕切板３３ｃとの間の領域（Ｘ部）がダクト１１Ａの開口部に対向する。吸着板１０Ａが図１０に示す位置にスライドしている場合、吸着体１０Ａにおける端板３３ｂと仕切板３３ｃとの間の領域（Ｙ部）がダクト１１Ａの開口部に対向する。
【００４８】
ヒータ１３Ａは、正面側の吸込口４と吸着体１０Ａとの間であって、室内空気の吸込み側であるダクト１１Ａの開口部に対向する位置に配置されている。ヒータ１３Ｂ、１３Ｃは、正面側の吸込口４と吸着体１０Ａとの間であって、吸着体１０Ａのスライド方向に沿ったダクト１１Ａの両側に対向する位置に配置されている。ヒータ１３Ａ、１３Ｂ、１３Ｃは、空気調和機の運転モードに応じ、及び、吸着体１０Ａのスライド位置に応じ、個々に通電可能とされている。
【００４９】
このような構成において、空気調和機が加湿運転される場合の室内機１Ａの動作について説明する。なお、加湿運転が開始される前には、吸着体１０Ａは、図７に示す位置又は図１０に示す位置に位置している。ここでは、吸着体１０Ａが図７に示す位置に位置して暖房運転が行われている状態から、加湿運転が開始される場合について説明する。
【００５０】
加湿運転が行われていない暖房運転時には、空調用ファン９が駆動され、室内の空気が吸込口４から室内機本体３内に吸い込まれ、吸い込まれた空気が熱交換器８により加熱され、温風となって吹出口６から吹き出している。
【００５１】
加湿運転を開始する信号がリモコン２８から制御器１４に入力されると、室外排気用ファン１１が駆動され、正面側の吸込口４から室内機本体３内に吸い込まれた室内の空気の一部が、第１空気経路３４に通風され、第１空気経路３４を通過した後にダクト１１Ａ内と排気用パイプ１９内とを通って室外に排気される。第１空気経路３４内を空気が通風されることにより、通風される空気が吸着体１０Ａの一部（Ｘ部）に当たり、空気中の水分が吸着体１０ＡのＸ部に吸着される。水分が吸着されて含有水分量が少なくなった空気は、ダクト１１Ａ内と排気用パイプ１９内とを通って室外に排気される。
【００５２】
室外排気用ファン１１の駆動が開始されてから一定時間が経過すると、モータ３９が駆動され、吸着体１０Ａが図１０に示す位置にスライドされる。さらに、ヒータ１３Ｃに通電される。
【００５３】
吸着体１０Ａが図７に示す位置から図１０に示す位置にスライドすると、吸着体１０Ａの一部であって第１空気経路３４上に位置して水分が吸着された部分（Ｘ部）が、第２空気経路３５上に移動する。一方、吸着体１０Ａの他の一部であって図７に示す場合に第２空気経路３５上に位置していた部分（Ｙ部）が、ダクト１１Ａの開口部に対向する第１空気経路３４上に移動する。
【００５４】
そして、第２空気経路３５上に移動した吸着体１０ＡのＸ部に対向して位置するヒータ１３Ｃに通電されることにより、空調用ファン９が駆動されて正面側の吸込口４から室内機本体３内に吸い込まれる室内空気の一部がヒータ１３Ｃにより加熱され、加熱された空気が吸着体１０ＡのＸ部に当たる。これにより、吸着体１０ＡのＸ部が加熱され、吸着体１０ＡのＸ部から吸着されている水分が脱離される。
【００５５】
吸着体１０ＡのＸ部から脱離された水分は、空調用ファン９が駆動されることにより吹出口６から吹き出す空気中に含まれ、吸着体１０Ａから脱離された水分が吹出口６から室内に放出され、室内の加湿が行われる。
【００５６】
図１０に示す状態においては、室外排気用ファン１１が引き続き駆動され、吸着体１０Ａの他の一部であって第１空気経路３４上に位置している部分（Ｙ部）に水分が吸着される。
【００５７】
図１０に示す状態で一定時間が経過すると、モータ３９が逆向きに駆動され、吸着体１０Ａが図７に示す位置にスライドされる。このスライドにより、吸着体１０Ａにおける第１空気経路３４上に位置して水分が吸着された部分（Ｙ部）が、第２空気経路３５上に移動する。そして、ヒータ１３Ｃへの通電が停止され、ヒータ１３Ｂに通電され、ヒータ１３Ｂから発熱される。これにより、図１０に示す場合に水分の吸着が行われた吸着体１０ＡのＹ部にヒータ１３Ｂにより加熱された空気が当たり、吸着体１０ＡのＹ部から水分が脱離される。吸着体１０ＡのＹ部から脱離された水分は、空調用ファン９が駆動されることにより吹出口６から室内に吹き出す空気中に含まれ、吸着体１０Ａから脱離された水分が吹出口６から室内に放出され、室内の加湿が行われる。
【００５８】
一方、図１０に示す場合に水分の脱離が行われた吸着体１０ＡのＸ部が第１空気経路３４上に移動し、再び水分の吸着が開始される。
【００５９】
この室内機１Ａによれば、室外排気用ファン１１と空調用ファン９とを連続回転させ、吸着体１０を往復スライドさせ、ヒータ１３Ｃ、１３Ｂに交互に通電することにより、室内の加湿を連続して行うことができる。
【００６０】
吸着体１０Ａは、室内機１の横幅方向に延びた長尺形状に形成され、正面側の吸込口４と熱交換器８との間に位置して室内機本体３内に配置されている。このため、室内機１Ａの外径寸法が大きくなることを抑制しつつ吸着体１０Ａの表面積を増大させることができ、加湿性能を高めることができる。
【００６１】
また、吸着体１０Ａから水分を脱離させるために吸着体１０Ａに送風するファンとして、専用のファンを設けることなく空調用ファン９を使用している。このため、水分を脱離させるための専用のファンを設ける必要がなくなり、室内機１の小型化と低価格化とを図ることができる。
【００６２】
また、この室内機１では、吸着体１０Ａを用いて、室内の除湿、室内からの臭い成分の除去を行うことができる。
【００６３】
室内の除湿や室内からの臭い成分の除去を行う場合には、除湿又は臭い成分の除去を行う信号をリモコン２８から制御器１４に出力する。この信号が制御器１４に入力されると、空調用ファン９が駆動される。この場合、空気調和機の空調運転状態は、冷房運転、暖房運転、停止のいずれであってもよい。図７に示す状態において空調用ファン９が駆動されると、室内の空気が正面側の吸込口４から室内機本体３内に吸い込まれ、吸い込まれた空気が第２空気経路３５を通風されて吸着体１０ＡのＹ部に当たり、空気中の水分や臭い成分が吸着体１０ＡのＹ部に吸着される。水分や臭い成分が吸着され、水分や臭い成分の含有量が少なくなった空気は吹出口６から室内に吹き出す。
【００６４】
空調用ファン９が予め設定されている時間回転駆動されると、モータ３９が駆動され、吸着体１０Ａが図１０に示す位置にスライドされる。さらに、室外排気用ファン１１が駆動され、ヒータ１３Ａに通電される。
【００６５】
吸着体１０Ａが図７に示す位置から図１０に示す位置にスライドすると、吸着体１０Ａの一部であって図７に示す場合に第２空気経路３５上に位置して水分や臭い成分が吸着された部分（Ｙ部）が、第１空気経路３４上に移動する。一方、吸着体１０Ａの他の一部であって図７に示す場合に第１空気経路３４上に位置する部分（Ｘ部）が、第２空気経路３５上に移動する。
【００６６】
室外排気用ファン１１が駆動されることにより、正面側の吸込口４から室内機本体３内に吸い込まれた室内の空気の一部が、第１空気経路３４に通風され、第１空気通路３４を通過した後にダクト１１Ａ内と排気用パイプ１９内とを通って室外排気される。さらに、ヒータ１３Ａに通電されることにより、第１空気経路３４を通風される空気がヒータ１３Ａにより加熱される。ヒータ１３Ａにより加熱されて第１空気通路３４を通風される空気が吸着体１０ＡのＹ部に当たり、吸着体１０ＡのＹ部に吸着されている水分や臭い成分が吸着体１０Ａから脱離される。吸着体１０Ａから脱離された水分や臭い成分を含む空気は、ダクト１１Ａ内と排気用パイプ１９内とを通って室外に排気され、ここに、室内の除湿や室内からの臭い成分の除去が行われる。
【００６７】
なお、除湿だけを行なうのであれば、ヒータとしてはダクト１１Ａの開口部に対向する位置に設けられたヒータ１３Ａだけでもよい。
【００６８】
（第３の実施の形態）
本発明の第３の実施の形態を図１１及び図１２に基づいて説明する。なお、本実施の形態においても室内機の断面形状は図１に示す第１の実施の形態とほぼ同様であり、吸着体には図３に示される長手方向と短手方向とのほぼ直角に交差する方向に空気を流すことのできる吸着体１０が用いられる。
【００６９】
本発明の第３の実施の形態に係る空気調和機の室内機１Ｂの室内機本体３内には、エアフィルタ７と、熱交換器８と、空調用ファン９とが配置されている。さらに、室内機本体３内には、水分や臭い成分等の被吸着物質を吸着可能及び脱離可能な吸着体１０と、室外排気用ファン１１と、吸着脱離手段１２Ｂと、吸着脱離手段１２Ｂの一部を構成する加熱手段であるヒータ１３、４０と、制御器１４とが配置されている。
【００７０】
室外排気用ファン１１には、この室外排気用ファン１１を回転駆動させるモータ１８が連結されている。後述する切替機構２２Ａの可動板２４が図１１に示す閉止位置にスライドしている場合、室外排気用ファン１１が駆動されることにより、室外の空気が吸気用パイプ４１内を通って吸い込まれ、吸着体１０の吸着板１６と吸着板１６との間を吸着板１６の長手方向に沿って流れ、ダクト１１ａ内と排気用パイプ１９内とを通って室外に排気される。吸気用パイプ４１と排気用パイプ１９とは、室内機本体３内から室内機本体３外へ延び出し、さらに、壁２を貫通して室外に延び出している。
【００７１】
吸着脱離手段１２は、室外排気用ファン１１が駆動された場合に流れる空気と空調用ファン９が駆動された場合に流れる空気とを吸着体１０に通風し、通風された空気を吸着体１０に当てることにより吸着体１０に対して被吸着物質の吸着と脱離とを行わせるための機構である。この吸着脱離手段１２は、室外排気用ファン１１が駆動された場合に流れる空気を吸着体１０に当たるように通風する第１空気経路２０（図１１）と、空調用ファン９が駆動された場合に流れる空気を吸着体１０に当たるように通風する第２空気経路２１（図１２）とを切り替え可能な切替機構２２Ａと、吸着体１０から被吸着物質を脱離させるために吸着体１０に当たる空気を加熱する加熱手段であるヒータ１３、４０とを備えている。ヒータ１３、４０により加熱された空気が吸着体１０に当たることにより、吸着体１０が加熱されて吸着体１０から被吸着物質が脱離される。第１空気経路２０は、一端側が吸気用パイプ４１に連通され、他端側がダクト１１ａを介して排気用パイプ１９に連通されている。第１空気経路２０は、空気が吸着体１０内部の吸着板１６間を長手方向に流れる経路であり、第２空気経路２１は、空気が吸着体１０内部の吸着板１６間を短手方向に流れる経路である。
【００７２】
切替機構２２Ａは、吸着体１０と熱交換器８との間、及び、吸着体１０と正面側の吸込口４との間に位置固定に配置された複数の短冊状の固定板２３と、吸着体１０と熱交換器８との間、及び、吸着体１０と正面側の吸込口４との間に移動可能に配置された複数の短冊状の可動板２４と、可動板２４をスライドさせるモータ２５とにより構成されている。複数の可動板２４は一体にスライド可能に連結されており、複数の可動板２４は、図１１に示す閉止位置と図１２に示す開放位置とにスライド可能である。
【００７３】
可動板２４が図１１に示す閉止位置にスライドされた場合、隣合う固定板２３と固定板２３との間の隙間が可動板２４により閉止され、固定板２３と可動板２４とにより吸着体１０と熱交換器８との間、及び、吸着体１０と正面側の吸込口４との間が仕切られる。これにより、室外排気用ファン１１が駆動されて室外から室内機本体３内に吸込まれた空気は、室外排気用ファン１１側に向けて第１空気経路２０を通風される。
【００７４】
可動板２４が図１２に示す開放位置にスライドされた場合、可動板２４と固定板２３とが重なり、隣合う固定板２３と固定板２３との間の隙間が開放される。これにより、空調用ファン９が駆動されて正面側の吸込口４から室内機本体３内に吸込まれた空気は、熱交換器８及び空調用ファン９側に向けて第２空気経路２１を通風される。
【００７５】
ヒータ４０は、吸気用パイプ４１内に配置されている。
【００７６】
このような構成において、空気調和機が加湿運転される場合の室内機１Ｂの動作について説明する。ここでは、暖房運転が行われている状態から加湿運転が開始される場合について説明する。
【００７７】
加湿運転が行われていない暖房運転時には、空調用ファン９が駆動され、室内の空気が吸込口４から室内機本体３内に吸い込まれ、吸い込まれた空気が熱交換器８により加熱され、温風となって吹出口６から吹き出している。
【００７８】
加湿運転を開始する信号がリモコン２８から制御器１４に入力されると、モータ２５が駆動されて可動板２４が図１１に示す閉止位置にスライドされ、さらに、室外排気用ファン１１が駆動される。
【００７９】
可動板２４が閉止位置にスライドされ、及び、室外排気用ファン１１が駆動されることにより、室外の空気が吸気用パイプ４１内を通って吸い込まれ、吸い込まれた室外の空気が第１空気経路２０を通風され、ダクト１１ａ内と排気用パイプ１９内とを通って室外に排気される。室外の空気が第１空気経路２０を通風される過程において、流れる空気が吸着体１０に当たり、空気中の水分が吸着体１０に吸着される。水分が吸着された空気は含有水分量が少なくなり、含有水分量が少なくなった空気は排気用パイプ１９内を通風されて室外に排気される。
【００８０】
可動板２４が閉止位置にスライドされて室外排気用ファン１１が駆動される状態が設定時間継続されると、モータ２５が駆動されて可動板２４が図１２に示す開放位置にスライドされ、室外排気用ファン１１の駆動が停止され、及び、ヒータ１３に通電される。室外排気用ファン１１の駆動が停止されることにより、室外からの空気の吸い込みが停止される。
【００８１】
可動板２４が開放位置にスライドされ、ヒータ１３に通電されることにより、空調用ファン９の駆動により正面側の吸込口４から室内機本体３内に吸込まれた室内の空気がヒータ１３により加熱され、ヒータ１３により加熱された空気が第２空気経路２１を通風されて熱交換器８及び空調用ファン９側へ流れ、熱交換器８により加熱されて温風となり、吹出口６から室内に吹き出す。ヒータ１３により加熱された空気は、第２空気経路２１を通風される過程で吸着体１０に当たり、吸着体１０に吸着されている水分が吸着体１０から脱離される。吸着体１０から脱離された水分は、吹出口６から吹き出す空気中に含まれ、吸着体１０から脱離された水分が吹出口６から室内に放出され、室内の加湿が行われる。
【００８２】
可動板２４が開放位置にスライドされ、及び、ヒータ１３に通電される状態が設定時間継続されると、ヒータ１３への通電が停止され、可動板２４が閉止位置にスライドされ、室外排気用ファン１１の回転が開始され、図１１に示す状態に戻る。これにより、再び、室外の空気が吸気用パイプ４１を通って吸い込まれ、及び、吸い込まれた室外の空気中の水分が吸着体１０に吸着される。
【００８３】
従って、この第３の実施の形態の室内機１Ｂによれば、室外の空気中の水分を吸着体１０に吸着させることができ、この水分を吸着体１０から脱離させて室内に放出させることにより、室内を加湿することができる。
【００８４】
吸着体１０は、室内機１の横幅方向に延びた長尺形状に形成され、正面側の吸込口４と熱交換器８との間に位置して室内機本体３内に配置されている。このため、室内機本体３の外径寸法が大きくなることを抑制しつつ吸着体１０の表面積を増大させることができ、加湿性能を高めることができる。
【００８５】
なお、第３の実施の形態では、吸着体１０から水分を脱離させるために吸着体１０を加熱する手段として、吸込口４から吸い込まれる空気を加熱するヒータ１３を設けているが、このヒータ１３を使用せずに吸着体１０を加熱するようにしてもよい。
【００８６】
具体的には、熱交換器８を加熱手段として用い、暖房運転される熱交換器８により加熱されて吹出口６に向かう空気の一部を第２空気経路２１の入口側へ導く回動可能なダンパ（図示せず）を設け、吸着体１０を熱交換器８を通過した温風で暖めることで達成できる。
【００８７】
また、この室内機１では、吸着体１０を用いて、室内の除湿、室内からの臭い成分の除去を行うことができる。
【００８８】
室内の除湿や室内からの臭い成分の除去を行う場合には、除湿又は臭い成分の除去を行う信号をリモコン２８から制御器１４に出力する。この信号が制御器１４に入力されると、可動板２４が図１１に示す開放位置にスライドされ、空調用ファン９が駆動される。この場合、空気調和機の空調運転状態は、冷房運転、暖房運転、停止のいずれであってもよい。空調用ファン９が駆動されることにより、室内の空気が正面側の吸込口４から室内機本体３内に吸い込まれ、吸い込まれた空気が第２空気経路２１を通風されて吸着体１０に当たり、空気中の水分や臭い成分が吸着体１０に吸着される。水分や臭い成分が吸着され、水分や臭い成分の含有量が少なくなった空気が吹出口６から室内に吹き出す。
【００８９】
除湿又は臭い成分の除去が開始されてから予め設定されている時間が経過した後、可動板２４が図１０に示す閉止位置にスライドされ、ヒータ４０に通電され、室外排気用ファン１１が駆動される。室外排気用ファン１１が駆動されることにより、室外の空気が吸気用パイプ４１から室内機本体３内に吸い込まれ、吸い込まれた室外の空気がヒータ４０により加熱される。ヒータ１３により加熱された空気は第１空気経路２０を通風されて吸着体１０に当たり、吸着体１０に吸着されている水分や臭い成分が吸着体１０から脱離される。吸着体１０から脱離された水分や臭い成分を含む空気は、排気用パイプ１９内を通風されて室外に排気され、ここに、室内の除湿や室内からの臭い成分の除去が行われる。
【００９０】
（第４の実施の形態）
本発明の第４の実施の形態を図１３ないし図１７に基づいて説明する。本実施の形態においても室内機の断面形状は図１に示す第１の実施の形態とほぼ同様である。
【００９１】
本発明の第４の実施の形態に係る空気調和機の室内機１Ｃの室内機本体３内には、エアフィルタ７と、熱交換器８と、空調用ファン９とが配置されている。さらに、室内機本体３内には、水分や臭い成分等の被吸着物質を吸着可能及び脱離可能な吸着体１０Ｂと、室外排気用ファン１１と、吸着脱離手段１２Ｃと、吸着脱離手段１２Ｃの一部を構成する加熱手段である冷媒パイプ５０と、制御器１４とが配置されている。
【００９２】
冷媒パイプ５０は、空気調和機の冷暖房を行なうための冷凍サイクルに接続されており、熱交換器８に配管されている冷媒パイプから分岐されたものである。図１６に示すように空気調和機の冷凍サイクルは、圧縮機６０、冷暖房切換用の四方弁６２、室外熱交換器６４、膨張弁６６、室内熱交換器８が順次冷媒パイプで接続されている。この室内熱交換器８と並列に開閉弁で構成される切換弁６８と吸着体用の冷媒パイプ５０の直列回路が接続されている。この切替弁６８を制御器１４によって開閉制御することにより、吸着体１０を貫通する冷媒パイプ５０への冷媒の流通と停止を切替える。
【００９３】
吸着体１０Ｂは、アルミニウムなどを素材とする長方形状の基材の表面にゼオライト等の吸着材粒子を塗付することにより形成された複数枚の吸着板１６Ａと、これらの吸着板１６Ａの両端を支持する支持枠１７とにより形成されている。吸着体１０Ｂは、室内機本体３の横幅方向に延びた長尺形状に形成され、吸着板１６Ａの長手方向と室内機本体３の横幅方向とが一致する向きに室内機本体３内に配置されている。冷媒パイプ５０は、各吸着板１６Ａをその厚み方向に貫通して配管されている。暖房運転時に切換弁６８を開放することで冷凍サイクル中の高温冷媒は、室内熱交換器８と冷媒パイプ５０とを平行に流れ、吸着体１０Ｂの吸着板１６Ａが加熱される。一方、切換弁６８を閉止すると冷媒パイプ５０には冷媒が流れず、室内熱交換器８のみに冷媒を流すことができる。
【００９４】
なお、冷媒パイプ５０の冷凍サイクル上の配置としては、図１７に示すように室内熱交換器８と直列に接続することも可能である。この場合、切換弁６８は冷媒パイプ５０と並列に接続される。この場合は図１６の冷凍サイクルの操作とは逆に暖房運転時に切換弁６８を閉止することで冷凍サイクル中の高温冷媒は、冷媒パイプ５０を通った後、室内熱交換器８へと流れ、吸着体１０Ｂの吸着板１６Ａが加熱される。一方、切換弁６８を開放すれば、ほとんどの冷媒は切換弁６８側を流れ、冷媒パイプ５０にはほとんど冷媒が流れなくなる。
【００９５】
また、図１７の例では膨張弁６６と室内熱交換器８間に冷媒パイプ５０を接続したが、室内熱交換器８と四方弁６２の間、すなわち暖房運転時における室内熱交換器８の上流側に冷媒パイプ５０及び切換弁６８の並列回路を接続しても良い。
【００９６】
なお、図１６及び図１７において、実線の矢印は冷房運転時の冷媒の流れ方向を示し、破線の矢印は暖房運転時の冷媒の流れ方向を示している。
【００９７】
このような構成において、暖房運転している空気調和機を加湿運転する場合の室内機１Ｃの動作について説明する。
【００９８】
加湿運転が行われていない暖房運転時には、空調用ファン９が駆動され、室内の空気が吸込口４から室内機本体３内に吸い込まれ、吸い込まれた空気が熱交換器８により加熱され、温風となって吹出口６から吹き出している。可動板２４は、図１４に示す開放位置にある。なお、暖房運転時には、熱交換器８内を高温の冷媒が流れている。
【００９９】
加湿運転を開始する信号がリモコン２８から制御器１４に入力されると、モータ２５が駆動されて可動板２４が図１３に示す閉止位置にスライドされ、さらに、室外排気用ファン１１が駆動される。この時、切換弁６８は冷媒が冷媒パイプ５０を流通しない側に切り替えられている。
【０１００】
可動板２４が閉止位置にスライドされ、及び、室外排気用ファン１１が駆動されることにより、室外の空気が吸気用パイプ４１内を通って吸い込まれ、吸い込まれた室外の空気が第１空気経路２０を通風され、ダクト１１ａ内と排気用パイプ１９内とを通って室外に排気される。室外の空気が第１空気経路２０を通風される過程において、流れる空気が吸着体１０Ｂに当たり、空気中の水分が吸着体１０Ｂに吸着される。この際、第１空気経路２０は縦方向に冷媒パイプ５０が貫通しているため、若干通風抵抗となる。水分が吸着された空気は含有水分量が少なくなり、空気はダクト１１ａ内と排気用パイプ１９内とを通って室外に排気される。
【０１０１】
可動板２４が閉止位置にスライドされて室外排気用ファン１１が駆動される状態が設定時間継続されると、モータ２５が駆動されて可動板２４が図１４に示す開放位置にスライドされ、室外排気用ファン１１の駆動が停止されるとともに制御器１４によって切換弁６８が切替えられ、熱交換器８内を流れている高温の冷媒が吸着板１６Ａを貫通して配管されている冷媒パイプ５０内を流れる。冷媒パイプ５０内を高温の冷媒が流れることにより吸着体１０Ｂが加熱され、吸着体１０Ｂから水分が脱離される。さらに、吸着体１０Ｂに対して空調用ファン９の運転により吸込口４から吸込まれた室内空気が当たることにより、吸着体１０Ｂからの水分の脱離が促進される。吸着体１０Ｂから脱離された水分を多く含む空気は、空調用ファン９による空気の流れに沿って熱交換器８、空調用ファン９を流れ、吹出口６から室内に吹き出し、室内が加湿される。
【０１０２】
可動板２４が開放位置にスライドされ、及び、冷媒パイプ５０に高温の冷媒が流れる状態が設定時間継続されると、冷媒パイプ５０への高温の冷媒の流れが停止され、可動板２４が閉止位置にスライドされ、室外排気用ファン１１の回転が開始され、図１３に示す状態に戻る。これにより、再び、室外の空気が吸気用パイプ４１を通って吸い込まれ、吸い込まれた室外の空気中の水分が吸着体１０Ｂに吸着される。
【０１０３】
従って、この第４の実施の形態の室内機１Ｃでも、室外の空気中の水分を吸着体１０Ｂに吸着させることができ、この水分を吸着体１０Ｂから脱離させて室内に放出させることにより、室内を加湿することができる。
【０１０４】
さらに、この室内機１Ｃによれば、吸着体１０Ｂから水分を脱離させる加熱手段として冷媒パイプ５０を使用し、この冷媒パイプ５０を吸着体１０Ｂの吸着板１６Ａを貫通させて配置しているため、加熱手段を設けるための新たなスペースを確保しなくてもよく、室内機１Ｃの小型化を図ることができる。
【０１０５】
吸着体１０Ｂは、室内機１Ｃの横幅方向に延びた長尺形状に形成され、正面側の吸込口４と熱交換器８との間に位置して室内機本体３内に配置されている。このため、室内機本体３の外径寸法が大きくなることを抑制しつつ吸着体１０Ｂの表面積を増大させることができ、加湿性能を高めることができる。
【０１０６】
なお、第３、第４の実施の形態の加湿運転においては、いずれも室外空気中の水分を吸着し、室内へ放出するように構成したが、吸着のための空気を室内から吸込むように構成しても加湿運転を行なうことができる。
【図面の簡単な説明】
【０１０７】
【図１】本発明の第１の実施の形態に係る空気調和機の室内機を示す縦断側面図である。
【図２】可動板が閉止位置にスライドした状態の室内機を示す水平断面図である。
【図３】図１に示す室内機で使用される吸着体を示す斜視図である。
【図４】可動板が開放位置にスライドした状態の室内機を示す水平断面図である。
【図５】室内機の電気的接続構造を示すブロック図である。
【図６】空気調和機を加湿運転する場合の制御について説明するフローチャートである。
【図７】本発明の第２の実施の形態に係る空気調和機の室内機を示す水平断面図である。
【図８】図７に示す室内機で使用されている吸着体を示す斜視図である。
【図９】吸着体とダクトとの配置構造を示す斜視図である。
【図１０】吸着体を移動させた場合の室内機を示す水平断面図である。
【図１１】本発明の第３の実施の形態に係る空気調和機の室内機を示す水平断面図である。
【図１２】可動板が開放位置にスライドされた状態の室内機を示す水平断面図である。
【図１３】本発明の第４の実施の形態に係る空気調和機の室内機を示す水平断面図である。
【図１４】可動板が開放位置にスライドされた状態の室内機を示す水平断面図である。
【図１５】吸着体を示す斜視図である。
【図１６】空気調和機の冷凍サイクルを示すブロック図である。
【図１７】空気調和機の冷凍サイクルの変形例を示すブロック図である。
【符号の説明】
【０１０８】
１…室内機、１Ａ…室内機、１Ｂ…室内機、１Ｃ…室内機、３…室内機本体、４…吸込口、６…吹出口、８…熱交換器、加熱手段、９…空調用ファン、１０…吸着体、１０Ａ…吸着体、１０Ｂ…吸着体、１１…室外排気用ファン、１２…吸着脱離手段、１２Ａ…吸着脱離手段、１２Ｂ…吸着脱離手段、１２Ｃ…吸着脱離手段、１３…ヒータ（加熱手段）、１３Ａ、１３Ｂ、１３Ｃ…ヒータ（加熱手段）、２０…第１空気経路、２１…第２空気経路、２２…切替機構、２２Ａ…切替機構、３４…第１空気経路、３５…第２空気経路、３６…スライド機構、４０…ヒータ（加熱手段）、５０…冷媒パイプ（加熱手段）
【図１】
2008121962.tif 000003
【図２】
2008121962.tif 000004
【図３】
2008121962.tif 000005
【図４】
2008121962.tif 000006
【図５】
2008121962.tif 000007
【図６】
2008121962.tif 000008
【図７】
2008121962.tif 000009
【図８】
2008121962.tif 000010
【図９】
2008121962.tif 000011
【図１０】
2008121962.tif 000012
【図１１】
2008121962.tif 000013
【図１２】
2008121962.tif 000014
【図１３】
2008121962.tif 000015
【図１４】
2008121962.tif 000016
【図１５】
2008121962.tif 000017
【図１６】
2008121962.tif 000018
【図１７】
2008121962.tif 000019